(57)【要約】【課題】体液を吸収コアの長手方向に流しやすく且つ股間領域において漏れを生じさせにくい吸収性物品を提供すること。【解決手段】吸収性物品１であって、吸収コア９が、厚さ方向Ｔにお互いに隣接する第１層１７及び第２層１９を備え、第１層１７が、前身頃ＦＰに配置された、（ｉ）長手方向Ｌに沿って延在する溝部２５であって、厚さ方向Ｔに貫通しており且つ後方ＲＤの位置に終端２７を備えている溝部２５と、（ｉｉ）終端２７を間に挟んで、溝部２５の後方ＲＤの位置に隣接して配置されている基部２９とを備え、第２層１９が、溝部２５及び基部２９と厚さ方向Ｔに重複する位置に、それぞれ、溝部対応部３３及び基部対応部３５を備え、基部２９に含まれる高吸収性ポリマー粒子２３の平均密度と、基部対応部３５に含まれる高吸収性ポリマー粒子２３の平均密度とが、溝部対応部３３に含まれる高吸収性ポリマー粒子２３の平均密度よりも高いことを特徴とする吸収性物品１。【選択図】図５
2019118722.tif 000002
【特許請求の範囲】
【請求項１】
高吸収性ポリマー粒子を含む吸収コアを備えている吸収性物品であって、
前記吸収性物品が、前方及び後方を含む長手方向、幅方向並びに厚さ方向を有し、そして前身頃及び後身頃に区画され、
前記吸収コアが、前記厚さ方向にお互いに隣接する第１層及び第２層を備え、
第１層が、前記前身頃に配置された、（ｉ）前記長手方向に沿って延在する溝部であって、前記厚さ方向に貫通しており且つ前記後方の位置に終端を備えている溝部と、（ｉｉ）前記終端を間に挟んで、前記溝部の前記後方の位置に隣接して配置されている基部とを備え、
第２層が、前記溝部及び基部と、前記厚さ方向に重複する位置に、それぞれ、溝部対応部及び基部対応部を備え、
前記基部に含まれる前記高吸収性ポリマー粒子の平均密度と、前記基部対応部に含まれる前記高吸収性ポリマー粒子の平均密度とが、前記溝部対応部に含まれる前記高吸収性ポリマー粒子の平均密度よりも高い、
ことを特徴とする、前記吸収性物品。
【請求項２】
前記基部対応部に含まれる前記高吸収性ポリマー粒子の平均密度が、前記基部に含まれる前記高吸収性ポリマー粒子の平均密度よりも高い、請求項１に記載の吸収性物品。
【請求項３】
前記溝部が、前記長手方向と交差する方向に延びている、請求項１又は２に記載の吸収性物品。
【請求項４】
前記溝部が、前記後方に向かって、前記吸収性物品の長手方向軸線に近づくように配置されている、請求項１〜３のいずれか一項に記載の吸収性物品。
【請求項５】
第１層が、前記溝部の、前記幅方向の両側に隣接して配置されている、一対の幅方向基部をさらに備え、
第２層が、前記厚さ方向において、前記一対の幅方向基部と重複する位置に配置された、一対の幅方向基部対応部をさらに備え、
前記一対の幅方向基部のそれぞれに含まれる前記高吸収性ポリマー粒子の平均密度と、前記溝部対応部に含まれる前記高吸収性ポリマー粒子の平均密度とが、前記一対の幅方向基部対応部のそれぞれに含まれる前記高吸収性ポリマー粒子の平均密度よりも低い、請求項１〜４のいずれか一項に記載の吸収性物品。
【請求項６】
前記溝部対応部に含まれる前記高吸収性ポリマー粒子の平均密度が、前記一対の幅方向基部のそれぞれに含まれる前記高吸収性ポリマー粒子の平均密度よりも低い、請求項５に記載の吸収性物品。
【請求項７】
前記溝部が、前記第１層の前記厚さ方向に貫通し、前記溝部と交差する方向に、前記溝部と従溝部基端を介して連通して存在する従溝部をさらに備えている、請求項５又は６に記載の吸収性物品。
【請求項８】
前記従溝部が、前記従溝部基端の反対側に従溝部終端を有する、請求項７に記載の吸収性物品。
【請求項９】
第２層が、前記厚さ方向において、前記従溝部と重複する位置に、従溝部対応部をさらに備えており、前記従溝部対応部に含まれる前記高吸収性ポリマー粒子の平均密度が、前記一対の幅方向基部対応部のそれぞれに含まれる前記高吸収性ポリマー粒子の平均密度よりも低い、請求項７又は８に記載の吸収性物品。
【請求項１０】
前記従溝部対応部に含まれる前記高吸収性ポリマー粒子の平均密度が、前記一対の幅方向基部のそれぞれに含まれる前記高吸収性ポリマー粒子の平均密度よりも低い、請求項９に記載の吸収性物品。
【請求項１１】
第１層が、第２層よりも着衣側に配置されている、請求項１〜１０のいずれか一項に記載の吸収性物品。
【請求項１２】
前記吸収性物品が、第１層の、第２層と反対側の面に配置されたコアラップをさらに備え、
前記コアラップが、前記溝部において、第２層に向かって突出するように配置されている、請求項１〜１１のいずれか一項に記載の吸収性物品。
【発明の詳細な説明】
【技術分野】
【０００１】
本開示は、吸収性物品に関する。
【背景技術】
【０００２】
吸収性物品では、尿等の排泄物の漏れを防ぎつつ、良好な履き心地を実現するため、様々な改良が行われている。
例えば、特許文献１には、肌当接面側に配置される表面シート、非肌当接面側に配置される裏面シート、及び両シート間に配置される吸収体を有する吸収性物品であって、前記吸収体は縦方向とこれに直交する幅方向とを有し、該吸収体は、排泄部対応領域の非肌当接面側に、平面方向に非連続に点在する突出吸収部と、該突出吸収部の間で縦方向及び幅方向のそれぞれの方向に配される通液構造とを有し、前記通液構造は、吸収体の非肌当接面側から厚み方向に窪んだ溝状の凹部と該凹部の肌当接面側の底部に位置する凹部吸収部とで構成され、該凹部吸収部の密度が前記突出吸収部の密度よりも低く、前記突出吸収部は、その非肌当接面側の下部よりも肌当接面側の上部の面の面積が大である吸収性物品が開示されている。また、特許文献１では、吸収性物品の例として、使い捨ておむつが挙げられている。
【先行技術文献】
【特許文献】
【０００３】
【特許文献１】特開２０１２−１３０３６５号公報
【発明の概要】
【発明が解決しようとする課題】
【０００４】
特許文献１に記載の吸収性物品では、通液構造を形成する凹部吸収部が、長手方向の全体に渡って形成されているため、スポット的に供給される体液を、吸収体の長手方向に移動させ、吸収体の全体を使って体液を吸収させやすい構造を有している。
しかし、特許文献１に記載の吸収性物品において、尿等の、一時的に大量の体液がスポット的に供給されると、体液が、長手方向に延びる凹部吸収部を通って、吸収性物品の長手方向の後方に迅速に移動するとともに、凹部吸収部に収容しきれない体液が表面シートの表面を流れて、吸収性物品の長手方向の後方に移動するため、股間領域等において漏れが生ずる場合があった。
従って、本開示は、体液を吸収コアの長手方向に流しやすく且つ股間領域において漏れを生じさせにくい吸収性物品を提供することを目的とする。
【課題を解決するための手段】
【０００５】
本開示者らは、高吸収性ポリマー粒子を含む吸収コアを備えている吸収性物品であって、上記吸収性物品が、前方及び後方を含む長手方向、幅方向並びに厚さ方向を有し、そして前身頃及び後身頃に区画され、上記吸収コアが、上記厚さ方向にお互いに隣接する第１層及び第２層を備え、第１層が、上記前身頃に配置された、（ｉ）上記長手方向に沿って延在する溝部であって、上記厚さ方向に貫通しており且つ上記後方の位置に終端を備えている溝部と、（ｉｉ）上記終端を間に挟んで、上記溝部の上記後方の位置に隣接して配置されている基部とを備え、第２層が、上記溝部及び基部と、上記厚さ方向に重複する位置に、それぞれ、溝部対応部及び基部対応部を備え、上記基部に含まれる上記高吸収性ポリマー粒子の平均密度と、上記基部対応部に含まれる上記高吸収性ポリマー粒子の平均密度とが、上記溝部対応部に含まれる上記高吸収性ポリマー粒子の平均密度よりも高いことを特徴とする吸収性物品を見出した。
【発明の効果】
【０００６】
本開示の吸収性物品は、体液を吸収コアの長手方向に流しやすく且つ股間領域において漏れを生じさせにくい。
【図面の簡単な説明】
【０００７】
【図１】図１は、第１実施形態に従う吸収性物品１の平面図である。
【図２】図２は、吸収性物品１の吸収体７の平面図である。
【図３】図３は、吸収性物品１の吸収コア９の平面図である。
【図４】図４は、吸収コア９の部分拡大図である。
【図５】図５は、図２のＶ−Ｖ断面における断面図である。
【図６】図６は、吸収性物品１の長手方向Ｌにおける体液の流れを表す断面模式図である。
【図７】図７は、図２のＶＩＩ−ＶＩＩ断面における断面図である。
【図８】図８は、吸収性物品１の幅方向Ｗにおける体液の流れを表す断面模式図である。
【図９】図９は、図２のＩＸ−ＩＸ断面における断面図である。
【図１０】図１０は、第２実施形態に従う吸収性物品を説明するための図である。
【図１１】図１１は、第２実施形態に従う吸収性物品を説明するための図である。
【図１２】図１２は、吸収コア９の変形例を説明するための図である。
【図１３】図１３は、吸収コア９の別の変形例を説明するための図である。
【図１４】図１４は、テープ型使い捨ておむつの前胴周り領域ＦＷ、後胴周り領域ＲＷ及び股間領域Ｃを説明するための図である。
【図１５】図１５は、本開示に係る吸収コアを製造可能な製造装置２０１の概略図である。
【図１６】図１６は、製造装置２０１のサクションドラム２０５の外周面に設けられた型部材２０７に吸収性材料が堆積される状態を模式的に示す要部拡大端面図である。
【図１７】図１７は、型部材２０７に堆積された第１の積層体２１７の要部拡大端面図である。
【図１８】図１８は、製造装置２０１のサクションドラム２０５の外周面に設けられた型部材２０７に吸収性材料が堆積される状態を模式的に示す要部拡大端面図である。
【発明を実施するための形態】
【０００８】
［定義］
・「平面視」
本明細書において、「平面視」は、特に断りのない限り、「展開した状態で水平面上に置いた対象物（例えば、吸収性物品、吸収体、吸収コア等）を、それらの厚さ方向の上方又は下方側から見ること」を意味する。特に、対象物が吸収性物品の場合は、吸収性物品を展開した状態で表面シート側から厚さ方向に見ることを、単に「平面視」ということがあり、そして対象物が吸収コアである場合には、吸収性物品を展開した状態で厚さ方向に見ることを、単に「平面視」ということがある。
【０００９】
・「長手方向」、「幅方向」及び「厚さ方向」
本明細書において、「長手方向」は、「平面視における縦長の対象物の長さの長い方向」を指し、「幅方向」は、「平面視における縦長の対象物の長さの短い方向」を指し、「厚さ方向」は「展開した状態で水平面上に置いた対象物に対して垂直方向」を指す。これらの長手方向、幅方向及び厚さ方向は、それぞれ互いに直交する関係にある。
なお、本明細書では、単に、「長手方向」、「幅方向」及び「厚さ方向」と称する場合には、それぞれ、吸収性物品の「長手方向」、「幅方向」及び「厚さ方向」を意味する。
【００１０】
・「長手方向軸線」及び「幅方向軸線」
本明細書において、「長手方向軸線」は、吸収性物品の幅方向の中央において、上記長手方向に延びる軸線を意味する。また、本明細書において、「幅方向軸線」は、吸収性物品の長手方向の中央において、上記幅方向に延びる軸線を意味する。
なお、本明細書では、単に、「長手方向軸線」及び「幅方向軸線」と称する場合には、それぞれ、吸収性物品の「長手方向軸線」及び「幅方向軸線」を意味する。
【００１１】
・「前方」及び「後方」
本明細書において、「前方」及び「後方」は、それぞれ、長手方向のうち、着用者の前面側の方向及び背面側の方向を意味する。
【００１２】
・「肌対向面（側）」及び「非肌対向面（側）」
本明細書において、「肌対向面側」は、吸収性物品の厚さ方向において、「吸収性物品の着用時に、着用者の肌対向面に対して相対的に近位側」を意味し、そして「非肌対向面側」は、「吸収性物品の着用時に、着用者の肌対向面に対して相対的に遠位側」を意味する。
また、本明細書において、「肌対向面」及び「非肌対向面」は、それぞれ、吸収性物品を構成する各種部材（例えば、表面シート、吸収体、裏面シート等）の「肌対向面側の表面」及び「非肌対向面側の表面」を意味する。
【００１３】
・「前身頃」及び「後身頃」
本明細書において、「前身頃」及び「後身頃」は、吸収性物品の区画であり、「前身頃」及び「後身頃」は、それぞれ、吸収性物品の幅方向軸線より前方の領域及び後方の領域を意味する。
【００１４】
・「前胴周り領域」、「後胴周り領域」、及び「股間領域（前股間領域及び後股間領域）」
本明細書において、「前胴周り領域」と、「後胴周り領域」と、「股間領域（前股間領域及び後股間領域）」とは、吸収性物品が使い捨ておむつである場合に用いられる用語であり、それらの意義は、以下の通りである。
パンツ型使い捨ておむつにおいて、前胴周り領域は、前身頃のうち、前身頃及び後身頃を接合する一対の接合部に挟まれた領域を意味し、後胴周り領域は、後身頃のうち、上記一対の接合部に挟まれた領域を意味する。
【００１５】
また、パンツ型使い捨ておむつにおいて、股間領域は、パンツ型使い捨ておむつを平面視した場合に、前胴周り領域と、後胴周り領域との間の領域を意味する。上記股間領域はまた、一対の脚回り開口部１１７（図１４を参照）に挟まれた領域に相当する。
【００１６】
テープ型使い捨ておむつでは、図１４に示すように、あらかじめ定められた、テープファスナ用の固定領域１１１に、一対のテープファスナ１０９の先端１１０同士が隣接するように固定した状態で、前胴周り領域ＦＷ，後胴周り領域ＲＷ及び股間領域Ｃを区画する。
【００１７】
具体的には、胴周り領域（ＦＷ＋ＲＷ）は、上記のように固定した状態で、吸収性物品１のうち、前身頃の胴周り形成部材１１３と、後身頃の胴周り形成部材１１４とが重複する、一対の重複部分１１５を基準に判断する。前胴周り領域ＦＷは、吸収性物品１の前身頃のうち、一対の重複部分１１５の間の領域を意味する。同様に、後胴周り領域ＲＷは、吸収性物品１の後身頃のうち、一対の重複部分１１５の間の領域を意味する。股間領域Ｃは、前胴周り領域ＦＷと、後胴周り領域ＲＷとの間の領域を意味する。
なお、股間領域は、前身頃に存在する「前股間領域」と、後身頃に存在する「後股間領域」とに区画される。
【００１８】
本明細書において、「溝部」は、長手方向に沿って延びる溝部を意味し、そして上記溝部は、溝部の軸線が、任意の位置において、上記長手軸線と、好ましくは４５°未満、より好ましくは３０°未満、さらにより好ましくは１５°未満の角度を有するように配置される。上記角度が４５°以上であると、溝部に存在する体液が、吸収コアの長手方向に流れにくくなる。
本明細書において、溝部の幅は、溝部の軸線と直交する方向における溝部の長さを意味する。
【００１９】
本明細書において、「従溝部」は、上記溝部と交差する方向に、所定の間隔で、溝部の基端を介して連通して存在する溝部を意味する。上記従溝部は、上記溝部と連通する部分（すなわち、基端）において、上記中溝部の軸線が、溝部の軸線と、好ましくは４５°以上、より好ましくは６０°以上、さらにより好ましくは８０°以上の角度を有するように配置される。上記従溝部は、直線状、非直線状、例えば、湾曲状に延びることができる。
本明細書において、従溝部の幅は、従溝部の軸線と直交する方向における従溝部の長さを意味する。
【００２０】
具体的には、本開示は以下の態様に関する。
［態様１］
高吸収性ポリマー粒子を含む吸収コアを備えている吸収性物品であって、
上記吸収性物品が、前方及び後方を含む長手方向、幅方向並びに厚さ方向を有し、そして前身頃及び後身頃に区画され、
上記吸収コアが、上記厚さ方向にお互いに隣接する第１層及び第２層を備え、
第１層が、上記前身頃に配置された、（ｉ）上記長手方向に沿って延在する溝部であって、上記厚さ方向に貫通しており且つ上記後方の位置に終端を備えている溝部と、（ｉｉ）上記終端を間に挟んで、上記溝部の上記後方の位置に隣接して配置されている基部とを備え、
第２層が、上記溝部及び基部と、上記厚さ方向に重複する位置に、それぞれ、溝部対応部及び基部対応部を備え、
上記基部に含まれる上記高吸収性ポリマー粒子の平均密度と、上記基部対応部に含まれる上記高吸収性ポリマー粒子の平均密度とが、上記溝部対応部に含まれる上記高吸収性ポリマー粒子の平均密度よりも高い、
ことを特徴とする、上記吸収性物品。
【００２１】
一般的に、尿等の比較的多い量の体液を吸収する吸収性物品では、スポット的に供給される体液を、吸収コアの全体で吸収させるために、体液を吸収コアの長手方向に移動させるための設計がなされている。当該設計の１つとして、吸収コアの長手方向に配置される溝部が挙げられる。
【００２２】
しかし、そのような吸収性物品に、一度に大量の体液がスポット的に供給されると、吸収コアが吸収しきれない体液が、吸収性物品の表面（液透過性シートの表面）を通って、吸収性物品の後方に一気に流れ、股間領域において体液漏れが発生する場合があった。
【００２３】
上記吸収性物品は、所定の溝部、基部、溝部対応部及び基部対応部を備えているとともに、基部に含まれる高吸収性ポリマー粒子の平均密度と、基部対応部に含まれる高吸収性ポリマー粒子の平均密度とが、溝部対応部に含まれる高吸収性ポリマー粒子の平均密度よりも高い。
【００２４】
以下、吸収性物品の表面を後方に向かって流れる体液の流速を、「表面流速」と称する。また、第１層を通って後方に流れる体液の平均的な流速を「第１層平均流速」と称し、第１層の溝部を通って後方に流れる体液の流速を「第１層溝部流速」と称し、そして第１層の基部を通って後方に流れる体液の流速を「第１層基部流速」と称する。さらに、第２層を通って後方に流れる体液の平均的な流速を「第２層平均流速」と称し、第２層の溝部対応部を通って後方に流れる体液の流速を「第２層溝部対応部流速」と称し、そして第２層の基部対応部を通って後方に流れる体液の流速を「第２層基部対応部流速」と称する。
【００２５】
第１層及び第２層が、それぞれ、肌側及び着衣側に配置されている場合には、資材の密度が低い溝部が、体液を受け入れ、第１溝部流速で後方に移動させることができる。また、溝部が受け入れた体液を、相対的に高吸収性ポリマー粒子の平均密度が低い第２層の溝部対応部に受け渡すことができる。第２層の溝部対応部では、体液を、第１層溝部流速よりも遅い第２層溝部対応部流速で後方に移動させることができる。
以上より、表面流速、第１層溝部流速及び第２層溝部対応部流速の間には、以下の第１関係式：
表面流速＞第１層溝部流速＞第２層溝部対応部流速
が成立する。
【００２６】
また、上記吸収性物品では、第１層の溝部の後方には、溝部よりも相対的に高吸収性ポリマー粒子の平均密度が高い基部が存在するため、基部が、溝部に存在する体液を一旦堰き止めるとともに、基部に存在する高吸収性ポリマー粒子が、溝部に存在する体液を、後方に第１層基部流速で透過させるとともに、溝部に存在する体液を一部吸収する。また、第２層の溝部対応部の後方には、溝部対応部よりも相対的に高吸収性ポリマー粒子の平均密度が高い基部対応部が存在するため、基部対応部が、溝部対応部に存在する体液を一旦堰き止めるとともに、溝部対応部に存在する体液を、後方に第２層基部対応部流速で透過させるとともに、基部対応部に存在する高吸収性ポリマー粒子が、溝部対応部に存在する体液を一部吸収する。
ここで、表面流速、第１層基部流速及び第２層基部対応部流速の間には、以下の第２関係式：
表面流速＞第１層基部流速，第２層基部対応部流速
が成立する。
【００２７】
以上より、表面流速、第１層平均流速及び第２層平均流速の間には、以下の第３関係式：
表面流速＞第１層平均流速＞第２層平均流速
が成立し、体液を、段階的に吸収コアの後方に移動させることができる。
また、第１層及び第２層が、それぞれ、着衣側及び肌側に配置された場合には、体液を、第２層の溝部対応部を透過させてから、第１層の溝部に移動させる他は、第１式、第２式及び第３式の関係を有するため、体液を、段階的に吸収コアの後方に移動させることができる。また、体液を、第１層の溝部に閉じ込めることができるため、着用者が動いた場合であっても、股間領域（特に、着用時に最も低い位置となることの多い、後股間領域）から漏れを発生しにくくすることができる。
以上より、上記吸収性物品は、体液を吸収コアの長手方向に流しやすく且つ股間領域（特に、後股間領域）において漏れを生じさせにくい。
【００２８】
［態様２］
上記基部対応部に含まれる上記高吸収性ポリマー粒子の平均密度が、上記基部に含まれる上記高吸収性ポリマー粒子の平均密度よりも高い、態様１に記載の吸収性物品。
【００２９】
上記吸収性物品では、第２層の基部対応部に含まれる高吸収性ポリマー粒子の平均密度が、第１層の基部に含まれる高吸収性ポリマー粒子の平均密度よりも高いので、体液を繰り返し吸収した場合に、第１層基部流速及び第２層基部対応部流速の間に、以下の第４関係式：
第１層基部流速＞第２層基部対応部流速
が成立し、第１層平均流速と、第２層平均流速との差を大きくすることができる。
従って、上記吸収性物品は、体液を吸収コアの長手方向に流しやすく且つ股間領域（特に、後股間領域）において漏れを生じさせにくい。
【００３０】
［態様３］
上記溝部が、上記長手方向と交差する方向に延びている、態様１又は２に記載の吸収性物品。
【００３１】
上記吸収性物品では、溝部が長手方向と交差する方向に延びているので、第１層の溝部と、第２層の溝部対応部との経路を長くすることができ、第１層溝部流速と、第２層溝部対応部流速とを遅くすることができるので、表面流速と、第１層平均流速及び第２層平均流速のそれぞれとの差を大きくすることができる。
従って、上記吸収性物品は、体液を吸収コアの長手方向に流しやすく且つ股間領域（特に、後股間領域）において漏れを生じさせにくい。
【００３２】
［態様４］
上記溝部が、上記後方に向かって、上記吸収性物品の長手方向軸線に近づくように配置されている、態様１〜３のいずれか一項に記載の吸収性物品。
【００３３】
上記吸収性物品では、溝部が、後方に向かって、吸収コアの長手軸線に近づくように配置されているので、表面流速と、第１層平均流速及び第２層平均流速のそれぞれとの差を大きくすることができるとともに、体液を、後方に向かって、吸収コアの長手軸線、すなわち、吸収コアの幅方向の中央に近づくように移動させることができる。
従って、上記吸収性物品は、体液を吸収コアの長手方向に流しやすく且つ股間領域（特に、後股間領域）において漏れを生じさせにくい。
【００３４】
［態様５］
第１層が、上記溝部の、上記幅方向の両側に隣接して配置されている、一対の幅方向基部をさらに備え、
第２層が、上記厚さ方向において、上記一対の幅方向基部と重複する位置に配置された、一対の幅方向基部対応部をさらに備え、
上記一対の幅方向基部のそれぞれに含まれる上記高吸収性ポリマー粒子の平均密度と、上記溝部対応部に含まれる上記高吸収性ポリマー粒子の平均密度とが、上記一対の幅方向基部対応部のそれぞれに含まれる上記高吸収性ポリマー粒子の平均密度よりも低い、態様１〜４のいずれか一項に記載の吸収性物品。
【００３５】
上記吸収性物品では、基部に堰き止められ、溝部に滞留している体液を、高吸収性ポリマー粒子を含む、一対の幅方向基部が吸い込み、次いで、一対の幅方向基部で保持しきれなくなった体液を、一対の幅方向基部のそれぞれよりも高い高吸収性ポリマー粒子の平均密度を有する、一対の幅方向基部対応部が吸い上げ、保持することができる。
【００３６】
また、溝部対応部、幅方向基部及び幅方向基部対応部のそれぞれが、所定量の高吸収性ポリマー粒子を含み、溝部の周囲に存在する幅方向基部及び溝部対応部の膨潤が抑制されるので、溝部の幅方向における長さ及び厚さ方向における高さを維持しやすく、溝部の通水機能が確保されやすくなる。その結果、吸収性物品が、体液を吸収コアの長手方向に流しやすく且つ股間領域（特に、後股間領域）において漏れを生じさせにくくなる。
【００３７】
［態様６］
上記溝部対応部に含まれる上記高吸収性ポリマー粒子の平均密度が、上記一対の幅方向基部のそれぞれに含まれる上記高吸収性ポリマー粒子の平均密度よりも低い、態様５に記載の吸収性物品。
【００３８】
上記吸収性物品では、上記溝部対応部に含まれる上記高吸収性ポリマー粒子の平均密度が、上記一対の幅方向基部のそれぞれに含まれる上記高吸収性ポリマー粒子の平均密度よりも低いので、体液を繰り返し吸収した場合であっても、溝部対応部の膨潤が抑制され、溝部対応部が体液を、後方に移動させる作用と、厚さ方向に透過させる作用（特に、第１層が着衣側に配置されている場合）とが阻害されにくくなる。従って、上記吸収性物品は、体液を吸収コアの長手方向に流しやすく且つ股間領域（特に、後股間領域）において漏れを生じさせにくくなる。
【００３９】
［態様７］
上記溝部が、上記第１層の上記厚さ方向に貫通し、上記溝部と交差する方向に、上記溝部と従溝部基端を介して連通して存在する従溝部をさらに備えている、態様５又は６に記載の吸収性物品。
【００４０】
上記吸収性物品は、溝部が、所定の従溝部を備えている。従溝部は、溝部の一部と見なすと、従溝部が存在することにより、溝部が、基部に堰き止められるまでに受け入れることができる体液の量を増やすことができ、そして溝部の表面積を増やすことができ、その結果、吸収性物品の表面を後方に向かって流れる体液の量を減らすことができる。従って、上記吸収性物品は、体液を吸収コアの長手方向に流しやすく且つ股間領域（特に、後股間領域）において漏れを生じさせにくくなる。
【００４１】
［態様８］
上記従溝部が、上記従溝部基端の反対側に従溝部終端を有する、態様７に記載の吸収性物品。
【００４２】
上記吸収性物品では、上記従溝部が、従溝部終端を有するので、従溝部が受け入れた体液が、隣接する溝部等に移動しないため、体液が、長さの短い吸収コアの幅方向に移動しにくくなる。従って、上記吸収性物品は、体液を吸収コアの長手方向に流しやすく且つ股間領域（特に、後股間領域）において漏れを生じさせにくくなる。
【００４３】
［態様９］
第２層が、上記厚さ方向において、上記従溝部と重複する位置に、従溝部対応部をさらに備えており、上記従溝部対応部に含まれる上記高吸収性ポリマー粒子の平均密度が、上記一対の幅方向基部対応部のそれぞれに含まれる上記高吸収性ポリマー粒子の平均密度よりも低い、態様７又は８に記載の吸収性物品。
【００４４】
上記吸収性物品は、上記従溝部対応部に含まれる上記高吸収性ポリマー粒子の平均密度が、上記一対の幅方向基部対応部のそれぞれに含まれる上記高吸収性ポリマー粒子の平均密度よりも低いので、従溝部対応部が、溝部対応部と同様の作用を有しやすくなる。従って、上記吸収性物品は、体液を吸収コアの長手方向に流しやすく且つ股間領域（特に、後股間領域）において漏れを生じさせにくくなる。
【００４５】
［態様１０］
上記従溝部対応部に含まれる上記高吸収性ポリマー粒子の平均密度が、上記一対の幅方向基部のそれぞれに含まれる上記高吸収性ポリマー粒子の平均密度よりも低い、態様９に記載の吸収性物品。
【００４６】
上記吸収性物品では、上記従溝部対応部に含まれる上記高吸収性ポリマー粒子の平均密度が、上記一対の幅方向基部のそれぞれに含まれる上記高吸収性ポリマー粒子の平均密度よりも低いので、従溝部対応部が、溝部対応部と同様の作用をより有しやすくなる。従って、上記吸収性物品は、体液を吸収コアの長手方向に流しやすく且つ股間領域（特に、後股間領域）において漏れを生じさせにくくなる。
【００４７】
［態様１１］
第１層が、第２層よりも着衣側に配置されている、態様１〜１０のいずれか一項に記載の吸収性物品。
【００４８】
上記吸収性物品では、第１層が、第２層よりも着衣側に配置されているので、体液を、第１層の溝部に閉じ込めることができるため、着用者が動いた場合であっても、股間領域（特に、後股間領域）から漏れを生じさせにくくすることができる。
【００４９】
［態様１２］
上記吸収性物品が、第１層の、第２層と反対側の面に配置されたコアラップをさらに備え、
上記コアラップが、上記溝部において、第２層に向かって突出するように配置されている、態様１〜１１のいずれか一項に記載の吸収性物品。
【００５０】
上記吸収性物品は、上記溝部において、肌対向面側に凸になるように配置されているコアラップをさらに備えているので、溝部における体液の拡散性を向上させることができる。
【００５１】
本開示の吸収性物品について、以下、詳細に説明する。
図１〜図９は、本開示の実施形態の１つ（以下、「第１実施形態」と称する場合がある）に従う吸収性物品１、具体的には、使い捨ておむつを説明するための図である。具体的には、図１は、吸収性物品１の平面図である。図２は、吸収性物品１の吸収体７の平面図である。図３は、吸収性物品１の吸収コア９の平面図である。図４は、吸収コア９の部分拡大図である。図５は、図２のＶ−Ｖ断面における断面図である。図６は、吸収性物品１の長手方向Ｌにおける体液の流れを表す断面模式図であり、図２のＶ−Ｖ断面に相当する。図７は、図２のＶＩＩ−ＶＩＩ断面における断面図である。図８は、吸収性物品１の幅方向Ｗにおける体液の流れを表す断面模式図であり、図２のＶＩＩ−ＶＩＩ断面に相当する。図９は、図２のＩＸ−ＩＸ断面における断面図である。
【００５２】
吸収性物品１は、前方ＦＤ及び後方ＲＤを含む長手方向Ｌと、幅方向Ｗと、厚さ方向Ｔとを有し、長手方向軸線ＬＡ及び幅方向軸線ＷＡを有する。
また、吸収性物品１は、前身頃ＦＰ及び後身頃ＲＰに区画され、そして前胴周り領域ＦＷ、後胴周り領域ＲＷ、及び股間領域Ｃ（前股間領域ＦＣ及び後股間領域ＲＣ）を備えている。
【００５３】
なお、吸収性物品１は、図１に示されるように、弾性部材１０３を含む一対の防漏壁１０１、防漏壁１０１を液透過性シート３に固定するための固定部１０５、弾性部材１０７、テープファスナ１０９等を有するが、これらは、当技術分野で公知のものであるため、説明を省略する。
【００５４】
吸収性物品１は、液透過性シート３と、液不透過性シート５と、液透過性シート３及び液不透過性シート５の間の吸収体７とを備えている。
吸収体７は、吸収性物品１と同一の、長手方向Ｌ、幅方向Ｗ及び厚さ方向Ｔを有し、肌対向面１１及び非肌対向面１３を有する吸収コア９と、吸収コア９の肌対向面１１及び非肌対向面１３を覆うティッシュからなるコアラップ１５とから構成されている。
【００５５】
吸収コア９は、非肌対向面１３（液不透過性シート５）側に配置された第１層１７と、肌対向面１１（液透過性シート３）側に配置された第２層１９とから構成される。第１層１７と、第２層１９とは、厚さ方向Ｔにおいて、お互いに隣接している。第１層１７及び第２層１９のそれぞれは、パルプ繊維２１と、高吸収性ポリマー粒子２３とを含んでいる。
【００５６】
第１層１７は、前身頃ＦＰに配置された溝部２５及び基部２９を備えている。溝部２５は、長手方向Ｌに沿って延在し、第１層１７を厚さ方向Ｔに貫通しており、そして溝部２５の最も後方ＲＤよりの位置に、終端２７を備えている。基部２９は、終端２７を間に挟んで、溝部２５の後方ＲＤよりの位置に配置されている。基部２９は、終端２７を間に挟んで、溝部２５に隣接している。
【００５７】
なお、溝部２５は、溝部２５ｎ（ｎは、ａ，ｂ，ｃ，ｄ，ｅ又はｆである）から構成されており、終端２７は、終端２７ｎ（ｎは、ａ，ｂ，ｃ，ｄ，ｅ又はｆである）から構成されており、そして基部２９は、基部２９ｎ（ｎは、ａ，ｂ，ｃ，ｄ，ｅ又はｆである）から構成されている。溝部２５ｎは、終端２７ｎを備えており、そして基部２９ｎは、それぞれ、終端２７ｎを間に挟んで、溝部２５ｎの後方ＲＤの位置に配置されている（以上、ｎは、ａ，ｂ，ｃ，ｄ，ｅ又はｆである）。
【００５８】
なお、本明細書では、説明の簡略化のため、溝部２５ａ、終端２７ａ、及び基部２９ａを、それぞれ、溝部２５、終端２７及び基部２９の代表として説明するが、その他の溝部２５ｎ、終端２７ｎ及び基部２９ｎの間の関係も同様である（以上、ｎは、ｂ，ｃ，ｄ，ｅ又はｆである）。
なお、吸収コア９は、最も後方ＲＤよりの位置に終端を備えていない溝部３１（溝部３１ａ，溝部３１ｂ，溝部３１ｃ及び溝部３１ｄ）を備えているが、説明は省略する。
【００５９】
図５に示されるように、第２層１９は、溝部２５ａ及び基部２９ａと、厚さ方向Ｔに重複する位置に、それぞれ、溝部対応部３３ａ及び基部対応部３５ａを備えている。
なお、第２層１９は、溝部２５及び基部２９と、厚さ方向Ｔに重複する位置に、それぞれ、溝部対応部３３及び基部対応部３５を備えている。溝部対応部３３は、溝部対応部３３ｎ（ｎは、ａ，ｂ，ｃ，ｄ，ｅ又はｆである）から構成され、そして基部対応部３５は、基部対応部３５ｎ（ｎは、ａ，ｂ，ｃ，ｄ，ｅ又はｆである）から構成されるが、図面には、それらの一部のみが図示されている。
【００６０】
なお、本明細書では、説明の簡略化のため、溝部対応部３３ａ及び基部対応部３５ａを、それぞれ、溝部対応部３３ｎ（ｎは、ａ，ｂ，ｃ，ｄ，ｅ又はｆである）及び基部対応部３５ｎ（ｎは、ａ，ｂ，ｃ，ｄ，ｅ又はｆである）の代表として説明するが、その他の溝部対応部３３ｎ（ｎは、ｂ，ｃ，ｄ，ｅ又はｆである）及び基部対応部３５ｎ（ｎは、ｂ，ｃ，ｄ，ｅ又はｆである）の間の関係も同様である。
【００６１】
図５に示されるように、基部２９ａに含まれる高吸収性ポリマー粒子２３の平均密度と、基部対応部３５ａに含まれる高吸収性ポリマー粒子２３の平均密度とは、溝部対応部３３ａに含まれる高吸収性ポリマー粒子２３の平均密度よりも高い。また、基部対応部３５ａに含まれる高吸収性ポリマー粒子２３の平均密度は、基部２９ａに含まれる高吸収性ポリマー粒子２３の平均密度よりも高い。
【００６２】
図６及び必要に応じて他の図を参照すると、吸収性物品１の、前胴周り領域ＦＷと、前股間領域ＦＣとの境界付近（排泄口当接域に相当する）に、着用者の体液、例えば、尿がスポット的に供給されると、体液は、吸収性物品１の表面を表面流速Ｖで、後方ＲＤに移動する。
【００６３】
高吸収性ポリマー粒子２３の平均密度が相対的に低い溝部対応部３３ａは、吸収性物品１の表面を流れる体液を引き込み、次いで、体液を、資材密度が概ね０である溝部２５ａに移動させる。溝部２５ａでは、溝部２５ａ自体が体液で満たされるまで、体液を、第１層溝部流速Ｖ１Aで、後方ＲＤに移動させる。溝部２５ａは、資材密度が概ね０であるが、周囲に吸収コア９を構成する資材及びコアラップ１５が存在することから、第１層溝部流速Ｖ１Aは、表面流速Ｖよりも遅くなる。
【００６４】
一方、溝部対応部３３ａは、資材密度が溝部２５ａより高いことから、溝部対応部３３ａは、体液を、第１層溝部流速Ｖ１Aよりも遅い、第２層溝部対応部流速Ｖ２Aで、後方ＲＤに移動させる。
ここで、表面流速Ｖ、第１層溝部流速Ｖ１A及び第２層溝部対応部流速Ｖ２Aの間には、以下の第１ａ関係式：
表面流速Ｖ＞第１層溝部流速Ｖ１A＞第２層溝部対応部流速Ｖ２A
が成立する。
【００６５】
また、第１層１７の溝部２５ａの後方ＲＤには、溝部２５ａよりも相対的に高吸収性ポリマー粒子２３の平均密度が高い基部２９ａが存在するため、基部２９ａが、溝部２５ａに存在する体液を一旦堰き止めるとともに、基部２９ａに存在する高吸収性ポリマー粒子２３が、溝部２５ａに存在する体液を吸収しながら、溝部２５ａに存在する体液を、表面流速Ｖよりも遅い第１層基部流速Ｖ１Bで、後方ＲＤに透過させる（移動させる）。
【００６６】
また、第２層１９の溝部対応部３３ａの後方ＲＤには、溝部対応部３３ａよりも相対的に高吸収性ポリマー粒子２３の平均密度が高い基部対応部３５ａが存在するため、基部対応部３５ａが、溝部対応部３３ａに存在する体液を一旦堰き止めるとともに、基部対応部３５ａに存在する高吸収性ポリマー粒子２３が、溝部対応部３３ａに存在する体液を吸収しながら、溝部対応部３３ａに存在する体液を、表面流速Ｖよりも遅い第２層基部対応部流速Ｖ２Bで、後方ＲＤに透過させる（移動させる）。
また、基部対応部３５ａに含まれる高吸収性ポリマー粒子２３の平均密度が、基部２９ａに含まれる高吸収性ポリマー粒子２３の平均密度よりも高いことから、第２層基部対応部流速Ｖ２Bが、第１層基部流速Ｖ１Bよりも遅くなる傾向にある。
【００６７】
ここで、表面流速Ｖ、第１層基部流速Ｖ１B及び第２層基部対応部流速Ｖ２Bの間には、以下の第２ａ関係式：
表面流速Ｖ＞第１層基部流速Ｖ１B＞第２層基部対応部流速Ｖ２B
が成立する。
【００６８】
以上より、表面流速Ｖ、第１層平均流速Ｖ１及び第２層平均流速Ｖ２の間には、以下の第３ａ関係式：
表面流速Ｖ＞第１層平均流速Ｖ１＞第２層平均流速Ｖ２
が成立し、体液を、段階的に吸収コア９の後方ＲＤに移動させることができ、吸収性物品１が、体液を吸収コア９の長手方向Ｌに流しやすく且つ股間領域Ｃ（特に、着用時に最も低い位置となることの多い後股間領域ＲＣ）において漏れを生じさせにくくなる。
【００６９】
また、溝部２５ａ及び溝部２５ｂは、それぞれ、終端２７ａ及び終端２７ｂより前方ＦＤの位置において、長手方向Ｌと交差する方向に延びている。具体的には、溝部２５ａ及び溝部２５ｂのそれぞれは、後方ＲＤに向かって、吸収コア９の長手方向軸線ＬＡに近づくように、そして長手方向軸線と交差角θを有するように配置されている。そうすることにより、第１層１７の溝部２５ａ及び溝部２５ｂの経路と、それらに対応する、第２層１９の溝部対応部３３の経路とを長くすることができるため、第１層１７及び第２層１９の内部を後方ＲＤに移動する体液が股間領域Ｃ（特に、後股間領域ＲＣ）に到達する時間を遅くし、股間領域Ｃ（特に、後股間領域ＲＣ）において漏れを生じさせにくくすることができる。
【００７０】
また、溝部２５ａ及び溝部２５ｂのそれぞれは、後方ＲＤに向かって、吸収コア９の長手方向軸線ＬＡに近づくように配置されているため、体液が、溝部２５ａ及び溝部２５ｂに沿って、後方ＲＤに流れると、体液が、吸収性物品１（吸収コア９）の、幅方向Ｗの中心に向かうことになるため、股間領域Ｃ（特に、後股間領域ＲＣ）において漏れを生じさせにくくなる。
【００７１】
図７に示されるように、第１実施形態に従う吸収性物品１では、第１層１７は、溝部２５（具体的には、溝部２５ａ）の、幅方向Ｗの両側に隣接して配置されている、一対の幅方向基部４１（具体的には、幅方向基部４１ａ）をさらに備えている。また、第２層１９は、厚さ方向Ｔにおいて、一対の幅方向基部４１（具体的には、一対の幅方向基部４１ａ）と重複する位置に配置された、一対の幅方向基部対応部４３（具体的には、幅方向基部対応部４３ａ）をさらに備えている。
【００７２】
一対の幅方向基部４１（具体的には、一対の幅方向基部４１ａ）のそれぞれに含まれる高吸収性ポリマー粒子２３の平均密度と、溝部対応部３３（具体的には、溝部対応部３３ａ）に含まれる高吸収性ポリマー粒子２３の平均密度とが、一対の幅方向基部対応部４３（具体的には、一対の幅方向基部対応部４３ａ）のそれぞれに含まれる高吸収性ポリマー粒子２３の平均密度よりも低い。また、溝部対応部３３（具体的には、溝部対応部３３ａ）に含まれる高吸収性ポリマー粒子２３の平均密度が、一対の幅方向基部４１（具体的には、一対の幅方向基部４１ａ）のそれぞれに含まれる高吸収性ポリマー粒子２３の平均密度よりも低い。
【００７３】
そうすることにより、基部２９ａに堰き止められ、溝部２５ａに存在する体液は、図８に矢印Ａで示されるように、高吸収性ポリマー粒子２３を含む幅方向基部４１ａに吸い込まれる（矢印Ａ）。次いで、幅方向基部４１ａで保持しきれなくなった体液は、図８に矢印Ｂで示されるように、幅方向基部４１ａよりも高い高吸収性ポリマー粒子２３の平均密度を有する幅方向基部対応部４３ａに吸い上げられ、保持される。
【００７４】
また、溝部対応部３３ａ、幅方向基部４１ａ及び幅方向基部対応部４３ａのそれぞれが、所定量の高吸収性ポリマー粒子２３を含むので、溝部２５ａの周囲に存在する幅方向基部４１ａ及び溝部対応部３３ａの膨潤が抑制されるので、溝部２５ａの幅方向Ｗにおける長さｗ及び厚さ方向Ｔにおける高さｈが維持されやすくなり、溝部２５ａの通水機能が確保されやすくなる。従って、吸収性物品１は、体液を吸収コア９の長手方向Ｌに流しやすく且つ股間領域Ｃ（特に、後股間領域ＲＣ）において漏れを生じさせにくくなる。
【００７５】
なお、第１層１７は、溝部２５ａ以外に、溝部２５ｎ（ｎは、ｂ，ｃ，ｄ，ｅ又はｆである）のそれぞれに対応する一対の幅方向基部（図示せず）をさらに備え、そして第２層１９は、溝部２５ａ以外に、溝部２５ｎ（ｎは、ｂ，ｃ，ｄ，ｅ又はｆである）のそれぞれに対応する一対の幅方向基部対応部（図示せず）を有するが、それらの関係は、溝部２５ａ、一対の幅方向基部４１ａ、及び一対の幅方向基部対応部４３ａの間の関係と同様であるため、図示及び説明を省略する。
【００７６】
溝部２５は、第１層１７の厚さ方向Ｔに貫通し、溝部２５と交差する方向（具体的には、幅方向Ｗ）に延びる従溝部５１をさらに備えている。従溝部５１は、従溝部基端５３と、従溝部終端５５とを備えており、従溝部基端５３が、溝部２５に連通している。
また、第２層１９は、厚さ方向Ｔにおいて、従溝部５１と重複する位置に、従溝部対応部５７をさらに備える。
【００７７】
なお、従溝部５１は、溝部２５ｎに対応する従溝部５１ｎから構成されており、従溝部基端５３は、溝部２５ｎに対応する従溝部基端５３ｎから構成されており、従溝部終端５５は、溝部２５ｎに対応する従溝部終端５５ｎから構成されており、従溝部対応部５７は、溝部２５ｎに対応する従溝部対応部５７ｎから構成されている（以上、ｎは、ａ，ｂ，ｃ，ｄ，ｅ又はｆであるが、図面には、それらの一部のみが図示されている）が、代表として、ｎがａである場合について説明する。
なお、ｎが、ｂ，ｃ，ｄ，ｅ又はｆである場合は、ｎがａである場合と同様であるため、図示はする（従溝部対応部５７ｎを除く）が、説明は省略する。
【００７８】
図９に示されるように、従溝部対応部５７ａに含まれる高吸収性ポリマー粒子２３の平均密度は、一対の幅方向基部対応部４３ａのそれぞれに含まれる高吸収性ポリマー粒子２３の平均密度よりも低い。そうすることにより、従溝部対応部５７ａが、溝部対応部３３ａと同様の作用を有しやすくなる。具体的には、第２層１９の従溝部対応部５７ａが、体液を厚さ方向Ｔに透過させやすくなり、体液が従溝部５１ａに移動しやすくなる。
【００７９】
また、図９に示されるように、従溝部対応部５７ａに含まれる高吸収性ポリマー粒子２３の平均密度が、一対の幅方向基部４１ａのそれぞれに含まれる高吸収性ポリマー粒子２３の平均密度よりも低い。そうすることにより、従溝部対応部５７ａが、溝部対応部３３ａと同様の作用をより有しやすくなる。
【００８０】
また、従溝部５１ａは、従溝部終端５５ａを有し、吸収コア９は、従溝部５１ａの従溝部終端５５ａの先に、吸収コア９を構成するパルプ繊維２１と、高吸収性ポリマー粒子２３とを備えている。
従って、従溝部５１ａの従溝部終端５５ａに到達した体液が、従溝部終端５５ａを介して、幅方向基部４１ａ（及び基部２９ａ）の内部に浸透し、体液が、吸収コア９、例えば、一対の幅方向基部対応部４３ａに吸収されやすくなる。
【００８１】
また、従溝部５１が存在することにより、吸収コア９、ひいては吸収性物品１の長手方向Ｌの変形を誘導しやすく、吸収性物品１が、着用者の体にフィットしつつ、液漏れを防止しやすくなる。
【００８２】
図１０及び図１１は、本開示の別の実施形態（以下、「第２実施形態」と称する）に従う吸収性物品を説明するための図であり、図２のＶ−Ｖ断面における断面図に相当する。
図１０に示されるように、第２実施形態に従う吸収性物品は、吸収体７を構成する吸収コア９において、第１層１７が、肌対向面１１（液不透過性シート）側に配置され、そして第２層１９が、非肌対向面１３（液透過性シート）側に配置されている以外は、第１実施形態に従う吸収性物品１と同様であるため、適宜、図１〜図９を参照して、第２実施形態に従う吸収性物品を説明する。
【００８３】
第２実施形態に従う吸収性物品は、吸収性物品１の、前胴周り領域ＦＷから前股間領域ＦＣの境界域（排泄口当接域に相当する）に、着用者の体液、例えば、尿がスポット的に供給されると、体液は、吸収性物品１の表面を表面流速Ｖで、後方ＲＤに移動する。
【００８４】
資材密度が概ね０である第１層１７の溝部２５ａは、吸収性物品１の表面を流れる体液を引き込む。溝部２５ａでは、溝部２５ａ自体が体液で満たされるまで、体液を、第１層溝部流速Ｖ１Aで、後方ＲＤに移動させる。溝部２５ａは、資材密度が概ね０であるが、周囲に吸収コア９を構成する資材及びコアラップ１５が存在することから、第１層溝部流速Ｖ１Aは、表面流速Ｖよりも遅くなる。
【００８５】
溝部対応部３３ａは、毛細管現象等により、溝部２５ａから体液を引き込み、体液を、第２層溝部対応部流速Ｖ２Aで、後方ＲＤに移動させる。溝部対応部３３ａは、資材密度が溝部２５ａより高いことから、第２層溝部対応部流速Ｖ２Aは、第１層溝部流速Ｖ１Aよりも遅くなる。
ここで、表面流速Ｖ、第１層溝部流速Ｖ１A及び第２層溝部対応部流速Ｖ２Aの間には、以下の第１ａ関係式：
表面流速Ｖ＞第１層溝部流速Ｖ１A＞第２層溝部対応部流速Ｖ２A
が成立する。
【００８６】
第２層１９の溝部対応部３３ａの後方ＲＤには、溝部対応部３３ａよりも相対的に高吸収性ポリマー粒子２３の平均密度が高い基部対応部３５ａが存在するため、基部対応部３５ａが、溝部対応部３３ａに存在する体液を一旦堰き止めるとともに、基部対応部３５ａに存在する高吸収性ポリマー粒子２３が、溝部対応部３３ａに存在する体液を吸収しながら、溝部対応部３３ａに存在する体液を、表面流速Ｖよりも遅い第２層基部対応部流速Ｖ２Bで、後方ＲＤに透過させることができる。
【００８７】
また、第１層１７の溝部２５ａの後方ＲＤには、溝部２５ａよりも相対的に高吸収性ポリマー粒子２３の平均密度が高い基部２９ａが存在するため、基部２９ａが、溝部２５ａに存在する体液を一旦堰き止めるとともに、基部２９ａに存在する高吸収性ポリマー粒子２３が、溝部２５ａに存在する体液を吸収しながら、溝部２５ａに存在する体液を、表面流速Ｖよりも遅い第１層基部流速Ｖ１Bで、後方ＲＤに透過させることができる。
なお、基部対応部３５ａに含まれる高吸収性ポリマー粒子２３の平均密度が、基部２９ａに含まれる高吸収性ポリマー粒子２３の平均密度よりも高いことから、第２層基部対応部流速Ｖ２Bは、第１層基部流速Ｖ１Bよりも遅くなる傾向にある。
【００８８】
ここで、表面流速Ｖ、第１層基部流速Ｖ１B及び第２層基部対応部流速Ｖ２Bの間には、以下の第２ａ関係式：
表面流速Ｖ＞第１層基部流速Ｖ１B＞第２層基部対応部流速Ｖ２B
が成立する。
【００８９】
以上より、表面流速Ｖ、第１層平均流速Ｖ１及び第２層平均流速Ｖ２の間には、以下の第３ａ関係式：
表面流速Ｖ＞第１層平均流速Ｖ１＞第２層平均流速Ｖ２
が成立し、体液を、段階的に吸収コア９の後方ＲＤに移動させることができ、吸収性物品１が、体液を吸収コア９の長手方向Ｌに流しやすく且つ股間領域Ｃ（特に、後股間領域ＲＣ）において漏れを発生させにくくなる。
【００９０】
図１２は、本開示の吸収性物品における吸収コア９の変形例を説明するための図である。吸収コア９は、長手方向軸線ＬＡと、幅方向軸線ＷＡとを有し、前胴周り領域ＦＷ、股間領域Ｃ（前股間領域ＦＣ及び後股間領域ＲＣ）、及び後胴周り領域ＲＷを備える。
【００９１】
吸収コア９は、吸収コア９の厚さ方向（図示せず）にお互いに隣接する第１層１７及び第２層１９を備え、第１層１７が、前身頃ＦＰに配置された、（ｉ）長手方向Ｌに沿って延在し、厚さ方向（図示せず）に貫通しており、最も後方ＲＤよりの位置に終端２７を備えている溝部２５と、（ｉｉ）終端２７を間に挟んで、溝部２５の後方ＲＤよりの位置に配置されている基部２９とを備える。溝部２５は、溝部２５と交差する方向（幅方向Ｗ）に、溝部２５と従溝部基端５３を介して連通して存在し、従溝部基端５３と反対側に従溝部終端５５を有する複数の従溝部５１をさらに備えている。
【００９２】
溝部２５は、溝部２５ａ及び溝部２５ｂから構成され、終端２７は、終端２７ａ及び終端２７ｂから構成され、そして基部２９は、基部２９ａ及び基部２９ｂから構成される。
第１層１７はまた、最も後方ＲＤよりの位置に終端を備えていない溝部３１（溝部３１ａ，溝部３１ｂ，溝部３１ｃ及び溝部３１ｄ）を備えている。
【００９３】
溝部２５ａは、従溝部基端５３ａ及び従溝部終端５５ａを有する従溝部５１ａであって、従溝部基端５３ａを介して溝部２５ａと連通しているものをさらに備える。溝部２５ｂは、従溝部基端５３ｂ及び従溝部終端５５ｂを有する従溝部５１ｂであって、従溝部基端５３ｂを介して溝部２５ｂと連通しているものをさらに備える。
【００９４】
図１３は、本開示の吸収性物品における吸収コア９の別の変形例を説明するための図である。吸収コア９は、長手方向軸線ＬＡと、幅方向軸線ＷＡとを有し、前胴周り領域ＦＷ、股間領域Ｃ（前股間領域ＦＣ及び後股間領域ＲＣ）、及び後胴周り領域ＲＷを備える。
【００９５】
吸収コア９は、吸収コア９の厚さ方向（図示せず）にお互いに隣接する第１層１７及び第２層１９を備え、第１層１７が、前身頃ＦＰに配置された、（ｉ）長手方向Ｌに沿って延在し、厚さ方向（図示せず）に貫通しており、最も後方ＲＤよりの位置に終端２７を備えている溝部２５と、（ｉｉ）終端２７を間に挟んで、溝部２５の後方ＲＤよりの位置に配置されている基部２９とを備える。
【００９６】
溝部２５は、溝部２５ａ，溝部２５ｂ，溝部２５ｃ及び溝部２５ｄから構成され、終端２７は、終端２７ａ，終端２７ｂ，終端２７ｃ及び終端２７ｄから構成され、そして基部２９は、基部２９ａ，基部２９ｂ，基部２９ｃ及び基部２９ｄから構成される。
第１層１７はまた、後身頃ＲＰに配置されている溝部３１（溝部３１ａ，溝部３１ｂ，溝部３１ｃ及び溝部３１ｄ）を備えている。
【００９７】
本開示の吸収性物品では、吸収コアは、第１層及び第２層が、吸収性物品の厚さ方向にお互いに隣接している限り、第１層及び第２層は、それぞれ、吸収コアの肌当接面側及び非肌当接面側、又は非肌当接面側及び肌当接面側に配置されうる。
また、吸収コアは、第１層及び第２層の他に、追加の層、例えば、肌当接面側に配置された第３の層（例えば、パルプ繊維を含む層、パルプ繊維からなる層）を含むことができ、そして非肌当接面側に配置された第３の層（例えば、高吸収性ポリマー粒子を含む層、高吸収性ポリマー粒子からなる層）を含むことができる。
【００９８】
本開示に係る吸収コアに含まれる高吸収性ポリマー粒子としては、当技術分野で公知ものが特に制限なく採用され、そして上記高吸収性ポリマー粒子としては、例えば、ポリアクリル酸塩系、ポリスルホン酸塩系、無水マレイン酸塩系、ポリアクリルアミド系、ポリビニルアルコール系、ポリエチレンオキシド系、ポリアスパラギン酸塩系、ポリグルタミン酸塩系、ポリアルギン酸塩系、デンプン系、セルロース系等の高吸収性ポリマー；デンプン−アクリル酸（塩）グラフト共重合体、デンプン−アクリロニトリル共重合体のケン化物、ナトリウムカルボキシメチルセルロースの架橋物等のデンプン系又はセルロース系の高吸収性ポリマー等の粒子が挙げられる。
【００９９】
本開示に係る吸収コアでは、第１層が、好ましくは３０〜１００ｇ／ｍ2、より好ましくは４０〜６０ｇ／ｍ2の平均坪量で高吸収性ポリマー粒子を含み、そして第２層が、好ましくは１００〜１８０ｇ／ｍ2、より好ましくは１２０〜１６０ｇ／ｍ2の平均坪量で高吸収性ポリマー粒子を含む。また、第１層及び第２層は、第１層及び第２層に含まれる高吸収性ポリマー粒子の総質量を基準として、高吸収性ポリマー粒子を、好ましくは２０〜４５質量％及び５５〜８０質量％、そしてより好ましくは２５〜３５質量％及び６５〜７５質量％含む。
【０１００】
本開示の吸収性物品では、吸収コアは、高吸収性ポリマーに加えて、当技術分野で公知の他の資材、例えば、繊維、例えば、天然繊維、合成繊維及び半合成繊維をさらに含むことができる。上記天然繊維としては、パルプ繊維及び再生セルロース繊維が挙げられる。上記再生セルロース繊維としては、レーヨン繊維、例えば、ビスコースから得られるビスコースレーヨン、ポリノジック及びモダール、セルロースの銅アンモニア塩溶液から得られる銅アンモニアレーヨン繊維（「キュプラ」とも称される）；有機化合物及び水の混合溶液である有機溶剤を用いた有機溶剤紡糸法によって得られ、セルロース誘導体を経ないリヨセル及びテンセル等が挙げられる。
上記半合成繊維としては、半合成セルロース繊維、例えば、アセテート繊維、例えば、トリアセテート繊維及びジアセテート繊維が挙げられる。
【０１０１】
本開示の吸収性物品において、吸収コアが繊維を含む場合には、第１層及び第２層のそれぞれは、上記繊維を、好ましくは５０〜１５０ｇ／ｍ2、より好ましくは８０〜１００ｇ／ｍ2の坪量で含む。
【０１０２】
本開示の吸収性物品は、吸収コアの肌当接面及び／又は非肌当接面を覆うコアラップをさらに備えることができる。特に、吸収コアが、吸収コアの第１層と接するように配置されると、第１層の溝部が潰れにくくなる。
また、上述の場合には、コアラップが、溝部において、第２層に向かって突出するように配置されていることが好ましい。態様１２に記載される効果の観点からである。
なお、吸収コアと、当該吸収コアを覆うコアラップを合わせて吸収体と称する場合がある。上記コアラップとしては、当技術分野で公知のもの、例えば、ティッシュ、不織布（例えば、エアスルー不織布）が挙げられる。
【０１０３】
本開示の吸収性物品では、第１層及び第２層のそれぞれの厚さは、好ましくは０．１〜５．０ｍｍ、より好ましくは０．５〜４．０ｍｍ、そしてさらに好ましくは１．０〜３．０ｍｍである。
第１層及び第２層の厚さは、レーザー変位計（例えば、キーエンス株式会社製  高精度２次元レーザー変位計ＬＪ−Ｇシリーズ（型式：ＬＪ−Ｇ０３０））を用いて、次のように非接触方式で測定することができる。
【０１０４】
吸収性物品にコールドスプレーを吹き付けて液透過性シート、液不透過性シート、及びコアラップを剥がして得た吸収コアを、１００ｍｍ×１００ｍｍのサイズに切り出し、サンプルとする。当該サンプルを、溝部及び基部を有する第１層が上になるように、水平な測定台に載置し、異なる５つの基部について、測定台からの変位をレーザー変位計で測定し、５つの測定値の平均値をＡｘ（ｍｍ）とする。同様に、異なる５つの溝部について、測定台からの変位をレーザー変位計で測定し、５つの測定値の平均値をＡｙ（ｍｍ）とする。第２層の厚みは、上記Ａｙ（ｍｍ）であり、第１層の厚みは、上記Ａｘ（ｍｍ）と上記Ａｙ（ｍｍ）との差から算出する。
【０１０５】
本開示の吸収性物品では、吸収コアの第１層は、前身頃に配置された、吸収性物品の長手方向に沿って延在する溝部であって、吸収性物品の厚さ方向に貫通しており且つ後方の位置に終端を備えている溝部（以下、「特定溝部」と称する場合がある）を備えており、そして非特定溝部、例えば、後身頃に配置された溝部、例えば、後身頃のみに配置された溝部、前身頃から後身頃にかけて配置された溝部を備えることができる。
【０１０６】
本開示の吸収性物品では、第１層が備える特定溝部は、平面視において、前身頃に配置される。本開示の吸収性物品が女性用である場合には、特定溝部は、少なくとも前股間領域に配置されることが好ましく、そして本開示の吸収性物品が男性用である場合には、特定溝部は、少なくとも前胴周り領域、好ましくは前胴周り領域及び前股間領域の両方に配置される。また、本開示の吸収性物品が男女共用の場合には、特定溝部は、前胴周り領域及び前股間領域の両方に配置されることが好ましい。特定溝部は、排泄口当接域、並びに排泄口当接域の後方に配置されることが好ましいからである。
なお、特定溝部が備える終端は、溝部のうち、最も後方の位置に配置された端縁を意味する。
【０１０７】
本開示の吸収性物品では、第１層は、上記特定溝部を、１個以上、好ましくは２個以上、より好ましくは３個以上、そしてさらに好ましくは４個以上有する。本開示の効果の観点からである。また、本開示の吸収性物品では、第１層は、上記特定溝部を、１５個以下、好ましくは１０個以下、より好ましくは８個以下、そしてさらに好ましくは６個以下有する。特定溝部が多すぎると、１つあたりの作用が小さくなるからである。
【０１０８】
本開示の吸収性物品では、第１層が備える特定溝部は、吸収コア（又は吸収体）の厚さの、好ましくは０．５〜３．０倍、より好ましくは０．８〜２．５倍、そしてさらに好ましくは１．０〜２．０倍の幅を有する。特定溝部の幅が上記範囲内にあると、吸収性物品が体液を吸収した後であっても、特定溝部が潰れにくい。
【０１０９】
本明細書では、吸収コア（又は吸収体）の厚さ（ｍｍ）は、以下の通り測定される。
株式会社大栄科学精器製作所製  ＦＳ−６０ＤＳ［測定面４４ｍｍ（直径），測定圧３ｇ／ｃｍ2］を準備し、標準状態（温度２３±２℃，相対湿度５０±５％）の下、吸収コア（又は吸収体）の異なる５つの部位を加圧し、各部位における加圧１０秒後の厚さを測定し、５つの測定値の平均値を、吸収コア（又は吸収体）の厚さとする。
【０１１０】
本開示の吸収性物品では、吸収コアの第１層が、上記端縁を間に挟んで、溝部の後方の位置に隣接して配置されている基部を備える。上記基部は、特定溝部の終端から、長手軸線と平行に、長手方向の後方に延びている。
上記基部は、上記終端を始点として、溝部の幅の、好ましくは０．５〜１０．０倍、より好ましくは０．７〜７．０倍、そしてさらに好ましくは１．０〜５．０倍の長手方向の長さを有する。基部の作用の観点からである。
【０１１１】
本開示の吸収性物品において、第２層の溝部対応部及び基部対応部は、それぞれ、第１層の溝部及び基部の、厚さ方向に重複する部分であるため、説明は省略する。
【０１１２】
本開示の吸収性物品では、基部に含まれる高吸収性ポリマー粒子の平均密度と、基部対応部に含まれる高吸収性ポリマー粒子の平均密度とが、溝部対応部に含まれる高吸収性ポリマー粒子の平均密度よりも高く、好ましくは０．０１〜０．２０ｇ／ｃｍ3高く、そしてより好ましくは０．０５〜０．２０ｇ／ｃｍ3高い。また、基部対応部に含まれる高吸収性ポリマー粒子の平均密度は、基部に含まれる高吸収性ポリマー粒子の平均密度よりも高いことが好ましく、より好ましくは０．０１〜０．１５ｇ／ｃｍ3高く、そしてさらに好ましくは０．０５〜０．１５ｇ／ｃｍ3高い。本開示の効果の観点からである。
【０１１３】
なお、本開示の吸収性物品では、溝部対応部の高吸収性ポリマー粒子の平均密度は、好ましくは０ｇ／ｃｍ3超且つ０．１５ｇ／ｃｍ3以下、より好ましくは０ｇ／ｃｍ3超且つ０．１０ｇ／ｃｍ3以下であり、基部の高吸収性ポリマー粒子の平均密度は、好ましくは０ｇ／ｃｍ3超且つ０．３５ｇ／ｃｍ3以下、より好ましくは０ｇ／ｃｍ3超且つ０．３０ｇ／ｃｍ3以下であり、そして基部対応部の高吸収性ポリマー粒子の平均密度は、好ましくは０．１０ｇ／ｃｍ3超且つ０．５０ｇ／ｃｍ3以下、より好ましくは０．１０ｇ／ｃｍ3超且つ０．４５ｇ／ｃｍ3以下である。
【０１１４】
本明細書では、高吸収性ポリマー粒子の平均密度は、以下の通り測定される。
（１）吸収コアから、基部、溝部対応部及び基部対応部等の各部のそれぞれのサンプルを、平面視において所定の面積（例えば、４ｍｍ×４ｍｍ）を有するように、５つ以上切り出す。
（２）各サンプルの厚さを、レーザー変位計（例えば、キーエンス株式会社製  高精度２次元レーザー変位計ＬＪ−Ｇシリーズ（型式：ＬＪ−Ｇ０３０））を用いて測定する。
（３）各サンプルに含まれる高吸収性ポリマー粒子を選別し、各サンプルに含まれる高吸収性ポリマー粒子の合計質量をそれぞれ計測し、計測値を、後述するサンプルの厚みとサンプルの面積とで得られるサンプルの体積で除すことにより、平均密度を得る。
【０１１５】
また、本明細書では、高吸収性ポリマー粒子の平均密度の高低は、例えば、以下の通り評価することができる。
吸収性物品を液体窒素に含浸させて凍結させた後、剃刀等を用いて、吸収性物品を厚さ方向にカットし、溝部が延びる方向と交差する面における断面のサンプルを得る。次いで、当該サンプルを常温に戻し、電子顕微鏡（例えば、キーエンス社ＶＥ７８００）を用いて、５０倍の倍率の断面画像を得る。そして当該断面画像において、基部、溝部対応部及び基部対応部等の各部における高吸収性ポリマー粒子の平均密度の高低を目視により評価する。
なお、後述する幅方向基部、幅方向基部対応部、従溝部対応部における高吸収性ポリマー粒子の平均密度は、上述の方法と同様にして測定又は評価することができる。
【０１１６】
本開示の吸収性物品では、第１層の特定溝部が、長手方向と交差する方向に延びていることが好ましく、特定溝部の軸線が、任意の点において、長手方向軸線と、好ましくは４５°以下、そしてより好ましくは３０°以下の交差角を有するように延びている。本開示の効果の観点からである。
【０１１７】
また、上記特定溝部は、後方に向かって、長手方向軸線に近づくように配置されていることが好ましい。面流速と、第１層平均流速及び第２層平均流速のそれぞれとの差を大きくすることができるとともに、体液を、後方に向かって、吸収コアの長手軸線、すなわち、吸収コアの幅方向の中央に近づくように移動させることができるからである。
【０１１８】
本開示の吸収性物品では、第１層が、上記特定溝部の、幅方向の両側に隣接して配置されている、一対の幅方向基部をさらに備え、第２層が、厚さ方向において、一対の幅方向基部と重複する位置に配置された、一対の幅方向基部対応部をさらに備えることが好ましい。また、一対の幅方向基部のそれぞれに含まれる高吸収性ポリマー粒子の平均密度と、溝部対応部に含まれる高吸収性ポリマー粒子の平均密度とが、一対の幅方向基部対応部のそれぞれに含まれる高吸収性ポリマー粒子の平均密度よりも低いことが好ましく、より好ましくは０．０１〜０．１５ｇ／ｃｍ3低く、そしてさらに好ましくは０．０５〜０．１５ｇ／ｃｍ3低い。態様５に記載される効果の観点からである。
【０１１９】
また、溝部対応部に含まれる高吸収性ポリマー粒子の平均密度が、一対の幅方向基部のそれぞれに含まれる高吸収性ポリマー粒子の平均密度よりも低いことが好ましく、より好ましくは０．０１〜０．１５ｇ／ｃｍ3低く、そしてさらに好ましくは０．０５〜０．１５ｇ／ｃｍ3低い。態様６に記載される効果の観点からである。
【０１２０】
本開示の吸収性物品が、上記一対の幅方向基部を備える場合には、上記一対の幅方向基部のそれぞれは、溝部の幅の、好ましくは０．５〜５．０倍、より好ましくは１．０〜４．０倍、そしてさらに好ましくは１．５〜３．０倍の幅を有する。そうすることにより、態様５、態様６に記載される効果を達成しやすくなる。なお、第１層が複数の特定溝部又は非特定溝部を備える場合には、上記一対の幅方向基部には、他の特定溝部、他の特定溝部に隣接する基部、非特定溝部等と重複する部分は除外される。また、第１層が複数の特定溝部を備える場合に、上記一対の幅方向基部は、他の一対の幅方向基部と重複していてもよい。
【０１２１】
本開示の吸収性物品では、溝部が、第１層の厚さ方向に貫通し、溝部と交差する方向に、溝部と従溝部基端を介して連通して存在する従溝部をさらに備えていることが好ましい。態様７に記載される効果の観点からである。
【０１２２】
上記従溝部は、従溝部基端の反対側に従溝部終端を有していても、そして有しなくともよい、例えば、従溝部が、従溝部が連通している溝部と隣接する特定溝部又は非特定溝部まで連結されているか、又は吸収コアの幅方向の両端部まで到達してもよい。しかし、上記従溝部は、従溝部基端の反対側に従溝部終端を有していることが好ましい。態様８に記載される効果の観点からである。
【０１２３】
本開示の吸収性物品において、第１層が従溝部をさらに備える場合には、第２層が、厚さ方向において、従溝部と重複する位置に、従溝部対応部をさらに備えていることが好ましく、そして当該従溝部対応部に含まれる高吸収性ポリマー粒子の平均密度が、一対の幅方向基部対応部のそれぞれに含まれる上記高吸収性ポリマー粒子の平均密度よりも低いことが好ましい。態様９に記載される効果の観点からである。
また、従溝部対応部に含まれる高吸収性ポリマー粒子の平均密度が、一対の幅方向基部のそれぞれに含まれる上記高吸収性ポリマー粒子の平均密度よりも低いことが好ましい。態様１０に記載される効果の観点からである。
上記従溝部対応部は、高吸収性ポリマー粒子を、好ましくは０〜０．１５ｇ／ｃｍ3、より好ましくは０〜０．１ｇ／ｃｍ3の坪量で含む。
【０１２４】
本開示の吸収性物品の製造方法には、特に制限はないが、例えば、次のような方法を用いることができる。
なお、本明細書において、「材料又は製品の搬送方向」を「ＭＤ方向」、「ＭＤ方向と水平面上において直交する方向」（すなわち、製造ラインの幅方向）を「ＣＤ方向」、「これらＭＤ方向とＣＤ方向と直交する方向」（すなわち、製造ラインの垂直方向）を「ＴＤ方向」とそれぞれいう。また、サクションドラム２０５の回転方向をＲＴ方向と称する。
【０１２５】
図１５は、本開示に係る吸収コアを製造可能な製造装置の概略図である。図１６は、製造装置２０１のサクションドラム２０５の外周面に設けられた型部材２０７に吸収性材料が堆積される状態を模式的に示す要部拡大端面図である。図１７は、型部材２０７に堆積された第１の積層体２１７の要部拡大端面図である。図１８は、製造装置２０１のサクションドラム２０５の外周面に設けられた型部材２０７に吸収性材料が堆積される状態を模式的に示す要部拡大端面図である。
【０１２６】
製造装置２０１は、開繊されたパルプ繊維２１及び高吸収性ポリマー粒子２３を含む吸収性材料を搬送する搬送管２０３と、搬送管２０３の搬送管ノズル２０３Ｌ及び搬送管ノズル２０３Ｈから吐出された吸収性材料を吸引して、それらの吸収性材料を、外周面に周方向に沿って一定の間隔で配設された複数の凹状の型部材２０７に積層させることにより、後工程において吸収体７の吸収コア９となる第１の積層体２１７を形成する回転自在のサクションドラム２０５とを備えている。
【０１２７】
また、搬送管２０３は、高吸収性ポリマー粒子２３を相対的に低吐出比で吐出する搬送管ノズル２０３Ｌと、高吸収性ポリマー粒子２３を相対的に高吐出比で吐出する搬送管ノズル２０３Ｈとを含む。なお、本実施形態において、搬送管ノズル２０３Ｌ及び搬送管ノズル２０３Ｈのそれぞれに含まれる高吸収性ポリマー粒子２３の質量比は３０：７０である。
【０１２８】
また、製造装置２０１は、サクションドラム２０５の外周面にある第１の積層体２１７を載置させて、この第１の積層体２１７を被覆する、長尺のコアラップ連続体２１９を巻き出し、第１の積層体２１７をコアラップ連続体２１９で被覆することにより第２の積層体２２１を形成するコアラップ連続体２１９用の巻出しロール２０９を有している。
【０１２９】
また、製造装置２０１は、第２の積層体２２１を、厚さ方向に加圧して圧縮させる上下（ＴＤ方向）一対のプレスロール２１１ａ，２１１ｂを備えたプレス装置２１１を備えている。
【０１３０】
また、製造装置２０１は、プレス装置２１１よりも搬送方向ＭＤの下流に、プレス加工を施した後の第３の積層体２２３の一面（図１５の場合、上面）に対して、液透過性シート３を構成する長尺の液透過性シート連続体２２７を巻き出して積層させる液透過性シート連続体２２７用の巻出しロール２１３とを有している。
さらに、製造装置２０１は、第３の積層体２２３に液透過性シート連続体２２７を積層することにより形成された第４の積層体２２５における液透過性シート連続体２２７とは反対側の面（図１５の場合、下面）に対して、液不透過性シート５を構成する長尺の液不透過性シート連続体２２９を巻き出して接合させ、第５の積層体２３１を形成する液不透過性シート連続体２２９用の巻出しロール２１５を有している。
【０１３１】
なお、液不透過性シート連続体２２９用の巻出しロール２１５よりも搬送方向ＭＤの下流には、第５の積層体２３１を製品としての吸収性物品１の形状に切断して、単体の吸収性物品１とする切断装置（図示せず）、第５の積層体２３１に防漏壁１０１、テープファスナ１０９等を圧着する各装置（図示せず）を有しているが、これらは、当業界において知られている通常の装置であるため、詳細な説明を省略する。
【０１３２】
製造装置２０１を用いて吸収性物品１を製造する場合、基本的に、第１の積層体２１７を形成する第１の工程と、コアラップ連続体２１９によって第１の積層体２１７を被覆して第２の積層体２２１を形成する第２の工程と、第２の積層体２２１をプレス装置２１１によって厚さ方向に圧縮して第３の積層体２２３とする第３の工程とを順次実施する。さらに、第３の積層体２２３に液透過性シート連続体２２７を積層して第４の積層体２２５とする第４の工程と、第４の積層体２２５に液不透過性シート連続体２２９を接合して第５の積層体２３１とする第５工程とを順次実施する。
【０１３３】
第１の工程では、パルプ繊維２１及び高吸収性ポリマー粒子２３を含む吸収性材料を、搬送管２０３を通じてサクションドラム２０５に供給し、サクションドラム２０５の外周面の型部材２０７に吸収性材料を積層させて、第１の積層体２１７を形成する。なお、第１の積層体２１７は、最終的に吸収体７の吸収コア９を構成することとなる。
【０１３４】
図１６に示されるように、吸収性材料は、上方から型部材２０７内に供給される。型部材２０７が、型部材２０７の底部２０８に、型部材２０７の上流側（図１６の向かって右側）から、回転方向窪み２３３，回転方向突起２３５，回転方向窪み２３７，回転方向突起２３９，及び回転方向窪み２４１を備えている。
【０１３５】
＜第１層の形成＞
高吸収性ポリマー粒子２３を相対的に低吐出比で吐出する搬送管ノズル２０３Ｌから吸収性材料が型部材２０７に供給されると、パルプ繊維２１は、軽量且つ柔軟性を有するため、回転方向突起２３５及び回転方向突起２３９に衝突しても跳ね返りにくく、型部材２０７にほぼ均等に堆積される。
【０１３６】
一方、高吸収性ポリマー粒子２３は、吸収性材料が型部材２０７内に供給され始めた段階では、回転方向突起２３５及び回転方向突起２３９のそれぞれの先端面２３５ａ及び先端面２３９ａに衝突し、跳ね返り、先端面２３５ａ及び先端面２３９ａに留まることなく移動し、回転方向窪み２３３，回転方向窪み２３７，及び回転方向窪み２４１に達して堆積することとなる。
【０１３７】
これは、高吸収性ポリマー粒子２３が、通常、粒状である上に、高吸収性ポリマー粒子２３の質量が比較的大きく、また、サクションドラム２０５の吸引にも起因して、高吸収性ポリマー粒子２３自体の運動エネルギーの影響を受けやすいため、回転方向突起２３５及び回転方向突起２３９のそれぞれの先端面２３５ａ及び先端面２３９ａに衝突した際には跳ねやすく、衝突した位置にとどまりにくいためである。以上より、吸収コア９における第１層１７が積層されることとなる。
【０１３８】
なお、サクションドラム２０５は、通常、高速で回転していることから、跳ね返った高吸収性ポリマー粒子２３は、相対的に、型部材２０７の下流側（図１７の向かって左側）に移動しやすくなるため、型部材２０７を、吸収コアの前身頃ＦＰが、型部材２０７の上流側（図１６の向かって右側）に位置するように形成することが好ましい。また、サクションドラム２０５の回転速度を、通常製造する際の回転速度よりも遅めに設定してもよい。
【０１３９】
＜第２層の形成＞
続いて、高吸収性ポリマー粒子２３を相対的に高吐出比で吐出し且つ搬送管ノズル２０３Ｌより低位置に存在する搬送管ノズル２０３Ｈから、型部材２０７に、吸収性材料を供給する。型部材２０７において、パルプ繊維２１が回転方向突起２３５及び回転方向突起２３９にも堆積してくるものの、高吸収性ポリマー粒子２３が高吐出比で含まれるため、高吸収性ポリマー粒子２３が衝突すると、パルプ繊維２１の柔軟性によってもその衝撃を依然として吸収しにくく、高吸収性ポリマー粒子２３が跳ね返りやすい。その結果、最終的には、図１７に示されるように、第１の積層体２１７には、ＲＴ方向において高吸収性ポリマー粒子２３の吸収コア９に対する平均密度が異なる部分が複数存在することになる。以上より、吸収コア９における第２層１９が積層されることとなる。
【０１４０】
すなわち、型部材２０７において回転方向突起２３５及び回転方向突起２３９の直上に相当する部分については、回転方向突起２３５及び回転方向突起２３９のそれぞれの先端面２３５ａ及び先端面２３９ａに衝突して高吸収性ポリマー粒子２３が移動した分だけ高吸収性ポリマー粒子２３の平均密度が最も低く、低密度領域３０１が形成される。
また、回転方向突起２３５及び回転方向突起２３９の側壁部分に沿った部分やその近傍の部分については、移動してきた高吸収性ポリマー粒子２３が存在する分、高吸収性ポリマー粒子の平均密度が比較的高く、中密度領域３０３が形成される。
【０１４１】
また、型部材２０７において、高吸収性ポリマー粒子２３が回転方向突起２３５及び回転方向突起２３９のそれぞれの先端面２３５ａ及び先端面２３９ａに跳ね返った影響を大きく受ける部分については、高吸収性ポリマー粒子２３の平均密度が最も高く、高密度領域３０５が形成される。
なお、低密度領域３０１は、本開示に係る吸収コアの溝部対応部に相当し、中密度領域３０３は、本開示に係る吸収コアの基部に相当し、そして高密度領域３０５は、本開示に係る吸収コアの基部対応部に相当する。
【０１４２】
図１８を用いて、本開示に係る吸収コアの幅方向基部及び幅方向基部対応部を形成する方法を説明する。
型部材２０７は、型部材２０７の底部２０８に、型部材２０７のＣＤ方向に離間した、ＣＤ方向突起２４３及びＣＤ方向突起２４５と、ＣＤ方向窪み２４７，ＣＤ方向窪み２４９及びＣＤ方向窪み２５１を備えている。
【０１４３】
高吸収性ポリマー粒子２３を相対的に低吐出比で吐出する搬送管ノズル２０３Ｌから吸収性材料が型部材２０７に供給されると、パルプ繊維２１は、軽量且つ柔軟性を有するため、ＣＤ方向突起２４３及びＣＤ方向突起２４５に衝突しても跳ね返りにくく、型部材２０７にほぼ均等に堆積される。
【０１４４】
一方、高吸収性ポリマー粒子２３は、吸収性材料が型部材２０７内に供給され始めた段階では、ＣＤ方向突起２４３及びＣＤ方向突起２４５のそれぞれの先端面２４３ａ及び先端面２４５ａに衝突し、跳ね返り、先端面２４３ａ及び先端面２４３ａに留まることなく移動し、ＣＤ方向窪み２４７，ＣＤ方向窪み２４９，及びＣＤ方向窪み２５１に達して堆積する。以上より、吸収コア９における第１層１７が積層されることとなる。
【０１４５】
続いて、高吸収性ポリマー粒子２３を相対的に高吐出比で吐出し且つ搬送管ノズル２０３Ｌより低位置に存在する搬送管ノズル２０３Ｈから、型部材２０７に、吸収性材料を供給する。型部材２０７において、パルプ繊維２１がＣＤ方向突起２４３及びＣＤ方向突起２４５にも堆積してくるものの、高吸収性ポリマー粒子２３が高吐出比で含まれるため、高吸収性ポリマー粒子２３が衝突すると、パルプ繊維２１の柔軟性によってもその衝撃を依然として吸収しにくく、高吸収性ポリマー粒子２３が跳ね返りやすい。その結果、第１の積層体（図示せず）には、ＣＤ方向において高吸収性ポリマー粒子２３の吸収コア（図示せず）に対する平均密度が異なる部分が複数存在することになる。以上より、吸収コア（図示せず）における第２層（図示せず）が積層されることとなる。
【０１４６】
第１の工程の後、型部材２０７の第１の積層体２１７を、サクションドラム２０５の回転によって、ホットメルト型接着剤等の接着剤を介した状態でコアラップ連続体２１９上に載置し、コアラップ連続体２１９によって第１の積層体２１７の外周面を被覆して第２の積層体２２１とする第２の工程を行う。
【０１４７】
第２の工程は、回転しているサクションドラム２０５が、型部材２０７の第１の積層体２１７を、コアラップ連続体２１９用の巻出しロール２０９から巻き出されて搬送方向ＭＤに移動しているコアラップ連続体２１９上に転写して載置する。そして、図示しない折曲手段によってコアラップ連続体２１９を第１の積層体２１７の外周面に沿って、搬送方向ＭＤと直交する幅方向ＣＤに折曲げ、コアラップ連続体２１９を第１の積層体２１７に巻くことにより被覆し、長尺の第２の積層体２２１とする。
【０１４８】
第２工程の終了後、第２の積層体２２１を厚さ方向に圧縮して第３の積層体２２３とする第３の工程を実施する。
第３の工程においては、プレス装置２１１の一対のプレスロール２１１ａ，２１１ｂの間に第２の積層体２２１を通すことにより、第２の積層体２２１を厚さ方向ＴＤに圧縮して、第３の積層体２２３を形成する。
【０１４９】
第３の工程の終了後、第３の積層体２２３の上面に、ホットメルト型接着剤等の接着剤を介して、液透過性シート連続体２２７用の巻出しロール２１３から巻き出した液透過性シート連続体２２７を積層して、長尺の第４の積層体２２５を形成する第４の工程を行う。
さらに、第４の工程の終了後、第４の積層体２２５の下面に、ホットメルト型接着剤等の接着剤を介して、液不透過性シート連続体用の巻出しロール２１５から巻き出した液不透過性シート連続体２２９を接合して、長尺の第５の積層体２３１を形成する第５の工程を行う。
第５の工程終了後、切断装置（図示せず）によって、第５の積層体２３１を吸収性物品１の形状に切断し、吸収性物品１を形成する。
【０１５０】
［実施例］
以下、例を挙げて本開示を説明するが、本開示はこれらの例に限定されるものではない。
［製造例１］
第１実施形態に従う吸収性物品1を製造した。具体的には、パルプ繊維（平均坪量：２５０ｇ／ｍ2）と、高吸収性ポリマー粒子（平均坪量：２５０ｇ／ｍ2）とを含む、３５０ｍｍ×［１２０ｍｍ（幅広部），８０ｍｍ（幅狭部）］（長手方向×幅方向）のサイズの吸収コアＮｏ．１を製造した。吸収コアＮｏ．１において、第１層及び第２層の高吸収性ポリマー粒子の平均坪量比率は、３０：７０であった。また、吸収コアＮｏ．１は、３次元ＣＴで評価したところ、基部対応部に含まれる高吸収性ポリマー粒子の平均密度が最も高く、次いで、基部に含まれる高吸収性ポリマー粒子の平均密度が高く、そして溝部対応部に含まれる高吸収性ポリマー粒子の平均密度が最も低かった。吸収コアの厚みは、２．０ｍｍであった。
なお、吸収性試験及び液戻り試験を厳しい条件で行うとともに、吸収コアの構造そのものの差異を判別しやすくするため、上記高吸収性ポリマーは、吸収速度がマイルドなグレードを選択した。
【０１５１】
吸収コアＮｏ.１を、ホットメルト接着剤を間に挟んで、コアラップとしての２枚のティッシュ（坪量：１６ｇ／ｍ2，４００ｍｍ×１５０ｍｍ）で覆った。２枚のティッシュに覆われた吸収コアＮｏ．１を油圧プレス機でプレスすることにより吸収コアの厚さを調整し、吸収体Ｎｏ．１を形成した。
吸収体Ｎｏ．１の第２層側に液透過性シート（エアスルー不織布）を貼り付け、そして第１層側に液不透過性シート（ポリエチレンフィルム）を貼り付けることにより、簡易の吸収性物品Ｎｏ．１を製造した。
【０１５２】
［製造例２］
溝部のパターンを、図１２に記載のパターンの変形パターンであって、溝部２５ａ及び溝部３１ｃを溝部３１ａに置換し、溝部２５ｂ及び溝部３１ｄを溝部３１ｂに置換したもの（溝部２５ａの終端２７ａ及び基部２９ａ、並びに溝部２５ｂの終端２７ｂ及び基部２９ｂを有しないもの）に変更した以外は、製造例１と同様にして、吸収コアＮｏ．２、吸収体Ｎｏ．２及び簡易の吸収性物品Ｎｏ．２を製造した。
［製造例３］
溝部を形成しなかった以外は、製造例１と同様にして、吸収コアＮｏ．３、吸収体Ｎｏ．３及び簡易の吸収性物品Ｎｏ．３を製造した。
【０１５３】
［実施例１，並びに比較例１及び２］
吸収性物品Ｎｏ．１〜Ｎｏ．３に、以下に規定する吸収性試験及び液戻り試験を行い、吸収時間及び液戻り量を評価した。結果を表１に示す。
【０１５４】
［吸収性試験］
（１−１）吸収性物品を、側面視が略Ｕ字型であるＵ字器具にセットする。なお、吸収性物品は、Ｕ字器具に、吸収体の長手方向の中央位置と、Ｕ字器具中央部（最も高さが低い位置）との位置を合わせるようにセットする。
【０１５５】
＜第１サイクル＞
（１−２）吸収体の中央位置に、ビュレットから、８０ｍＬの人工尿（１回目）を、８０ｍＬ／１０秒の速度で注入する。
（１−３）１回目の人工尿の注入開始から、Ｕ字器具の人工尿がなくなるまでの時間を、吸収時間（８０ｍＬ）として記録する（表１への記載は省略する）。
【０１５６】
＜第２サイクル＞
（１−４）１回目の人工尿の注入開始から１０分後、吸収体の中央位置に、ビュレットから、８０ｍＬの人工尿（２回目）を、８０ｍＬ／１０秒の速度で注入する。
（１−５）２回目の人工尿の注入開始から、Ｕ字器具の人工尿がなくなるまでの時間を、吸収時間（１６０ｍＬ）として記録する。
＜第３サイクル＞
（１−６）  （１−４）及び（１−５）の操作を繰り返し、８０ｍＬの人工尿（３回目）を添加し、吸収時間（２４０ｍＬ）を測定する。
【０１５７】
［液戻り試験］
（２−１）吸収性試験の（１−１）〜（１−５）を実施し、２回目の人工尿の注入開始から４分後、Ｕ時器具から吸収性物品を取り出し、アクリル製の平板上に、液透過性シートが上面となるように吸収性物品を拡げて１分間静置する。
（２−２）２回目の人工尿の注入開始から５分後、１００ｍｍ×１００ｍｍのろ紙約６０ｇを、人工尿注入点を中心として吸収性物品の液透過性シート上に静置する。さらに、その上に３．５ｋｇ、１００ｍｍ×１００ｍｍ×５０ｍｍ（高さ）の錘を静置する。なお、ろ紙については事前に試験前の質量を測定する。
（２−３）２回目の人工尿の注入開始から８分後、錘を取り除いて、ろ紙の質量を測定し、試験前のろ紙の質量を差し引き、その差分を液戻り量（１６０ｍＬ）とする。
【０１５８】
（２−４）「吸収性試験の（１−１）〜（１−５）を実施し」を、『吸収性試験の（１−１）〜（１−６）を実施し』に変更し、そして「２回目の人工尿の注入開始」を、『３回目の人工尿の注入開始』に変更した以外は、（２−１）〜（２−３）を実施し、液戻り量（２４０ｍＬ）を測定する。
【０１５９】
なお、人工尿は、イオン交換水１０Ｌに、尿素２００ｇ、塩化ナトリウム８０ｇ、硫酸マグネシウム８ｇ、塩化カルシウム３ｇ及び色素：青色１号約１ｇを溶解させることにより調製した。
【０１６０】
【表１】
2019118722.tif 000003
【符号の説明】
【０１６１】
１    吸収性物品
３    液透過性シート
５    液不透過性シート
７    吸収体
９    吸収コア
１１    肌対向面
１３    非肌対向面
１５    コアラップ
１７    第１層
１９    第２層
２１    パルプ繊維
２３    高吸収性ポリマー粒子
２５    溝部
２７    終端
２９    基部
３１    溝部
３３    溝部対応部
３５    基部対応部
４１    幅方向基部
４３    幅方向基部対応部
５１    従溝部
５３    従溝部基端
５５    従溝部終端
５７    従溝部対応部
Ｌ    長手方向
Ｗ    幅方向
Ｔ    厚さ方向
ＦＤ    前方
ＲＤ    後方
ＦＰ    前身頃
ＲＰ    後身頃
ＦＷ    前胴周り領域
ＲＷ    後胴周り領域
Ｃ    股間領域
ＦＣ    前股間領域
ＲＣ    後股間領域
ＬＡ    長手方向軸線
ＷＡ    幅方向軸線
Ｖ    表面流速
Ｖ１    第１層平均流速
Ｖ１A    第１層溝部流速
Ｖ１B    第１層基部流速
Ｖ２    第２層平均流速
Ｖ２A    第２層溝部対応部流速
Ｖ２B    第２層基部対応部流速
【図１】
2019118722.tif 000004
【図２】
2019118722.tif 000005
【図３】
2019118722.tif 000006
【図４】
2019118722.tif 000007
【図５】
2019118722.tif 000008
【図６】
2019118722.tif 000009
【図７】
2019118722.tif 000010
【図８】
2019118722.tif 000011
【図９】
2019118722.tif 000012
【図１０】
2019118722.tif 000013
【図１１】
2019118722.tif 000014
【図１２】
2019118722.tif 000015
【図１３】
2019118722.tif 000016
【図１４】
2019118722.tif 000017
【図１５】
2019118722.tif 000018
【図１６】
2019118722.tif 000019
【図１７】
2019118722.tif 000020
【図１８】
2019118722.tif 000021